(57)【特許請求の範囲】
【請求項１】
アプリケーション・アイコンをフォルダに追加するための方法であって、
端末のタッチ・インタフェース内のフォルダをドラッグするステップと、
移動トリガ・イベントが検出されたとき、前記フォルダのキャプチャ領域がアプリケーション・アイコンを含むかどうかを判定するステップであって、前記移動トリガ・イベントは、アプリケーション・アイコンをフォルダの外部から前記フォルダに移動するのをトリガするために使用されるイベントであり、前記フォルダの前記キャプチャ領域は、前記タッチ・インタフェース内の前記フォルダの位置に従って決定されサイズが事前設定範囲内にある領域であるかまたは前記フォルダの前記キャプチャ領域は前記タッチ・インタフェース内でユーザによりマークされた領域であるステップと、
アプリケーション・アイコンが前記フォルダの前記キャプチャ領域の範囲内に存在するとき、前記フォルダの前記キャプチャ領域内の前記アプリケーション・アイコンを前記フォルダの外部から前記フォルダへ移動するステップと、
を含み、
前記移動トリガ・イベントは、
前記フォルダの前記キャプチャ領域をタップするイベントと、
前記フォルダの前記キャプチャ領域で第１の事前設定グラフを描画するイベントと、
前記タッチ・インタフェース内のドラッグされている前記フォルダの滞在期間が事前設定期間に到達した後に、前記フォルダの前記キャプチャ領域をタップするイベントと、
前記タッチ・インタフェース内のドラッグされている前記フォルダの滞在期間が事前設定期間に到達した後に、前記フォルダの前記キャプチャ領域で第１の事前設定グラフを描画するイベントと、
のうち少なくとも１つのイベントである、
方法。
【請求項２】
前記フォルダの前記キャプチャ領域内の前記アプリケーション・アイコンを前記フォルダの外部から前記フォルダへ移動するステップは特に、
前記フォルダの前記キャプチャ領域内の前記アプリケーション・アイコンが前記フォルダの外部から前記フォルダへ移動したとき、前記アプリケーション・アイコンを前記フォルダに吸収させるアニメーション方式で、前記フォルダの前記キャプチャ領域内の前記アプリケーション・アイコンを前記フォルダの外部から前記フォルダへ移動するプロセスを表示するステップ
を含む、請求項１に記載の方法。
【請求項３】
前記フォルダの前記キャプチャ領域内の前記アプリケーション・アイコンを前記フォルダの外部から前記フォルダへ移動した後に、
削除トリガ・イベントが検出されたときに、前記フォルダ内のアプリケーション・アイコンを前記フォルダの外へ移動させるステップであって、前記削除トリガ・イベントは、アプリケーション・アイコンをフォルダから前記フォルダの外部へ移動するのをトリガするために使用される事前設定イベントであるステップ
をさらに含む、請求項１または２に記載の方法。
【請求項４】
アプリケーション・アイコンをフォルダから削除するための方法であって、
端末のタッチ・インタフェース内のフォルダをドラッグするステップと、
削除トリガ・イベントが検出されたときに前記フォルダ内のアプリケーション・アイコンを前記フォルダの外部に移動させるステップであって、前記削除トリガ・イベントは、アプリケーション・アイコンをフォルダから前記フォルダの外部へ移動するのをトリガするために使用される事前設定イベントであるステップと、
を含み、
削除トリガ・イベントが検出されたときに前記フォルダ内のアプリケーション・アイコンを前記フォルダの外部に移動させるステップは、
前記削除トリガ・イベントが標準的な削除トリガ・イベントであることが検出されたとき前記フォルダ内の第１のアプリケーション・アイコンを前記フォルダの外部に移動させるステップであって、前記標準的な削除トリガ・イベントは、フォルダ内の前記第１のアプリケーション・アイコンを前記フォルダの外部に移動するのをトリガするために使用される事前設定イベントであるステップと、
前記削除トリガ・イベントが後続の削除トリガ・イベントであることが検出されたとき、前記フォルダ内の全てのアプリケーション・アイコンを前記フォルダの外部に移動させるステップであって、前記後続の削除トリガ・イベントは、フォルダ内の全てのアプリケーション・アイコンを前記フォルダの外部に移動させるのをトリガするために使用される事前設定イベントであるステップと、
を含む、
方法。
【請求項５】
前記削除トリガ・イベントは、
前記端末を振動させるイベントと、
前記フォルダを振動させるイベントと、
前記タッチ・インタフェースで第２の事前設定グラフを描画するイベントと、
前記端末を振動させた後に前記タッチ・インタフェースで第２の事前設定グラフを描画するイベントと、
前記フォルダを振動させた後に前記タッチ・インタフェースで第２の事前設定グラフを描画するイベントと、
のうち少なくとも１つのイベントである、請求項４に記載の方法。
【請求項６】
前記削除トリガ・イベントが標準的な削除トリガ・イベントであることが検出されたとき前記フォルダ内の前記第１のアプリケーション・アイコンを前記フォルダの外部に移動させる前に、さらに、
前記フォルダがオープン状態にありアイコン整列イベントが検出されたとき、前記フォルダ内の前記アプリケーション・アイコンを再整列するステップであって、前記アイコン整列イベントは、フォルダ内のアイコンの再整列をトリガするために使用される事前設定イベントであるステップ
を含む、請求項５に記載の方法。
【請求項７】
前記標準的な削除トリガ・イベントは前記端末をＮ回振動させるイベントであり、前記後続の削除トリガ・イベントは前記端末をＮ＋Ｍ回振動させるイベントであり、ＮとＭは両方とも１以上の自然数である、請求項５または６に記載の方法。
【請求項８】
前記アイコン整列イベントは、
前記タッチ・インタフェースをスライドするイベントと、
前記タッチ・インタフェースで第３の事前設定グラフを描画するイベントと、
のうち少なくとも１つのイベントである、請求項６に記載の方法。
【請求項９】
アプリケーション・アイコンをフォルダに追加するための装置であって、
端末のタッチ・インタフェース内のフォルダをドラッグするように構成されたドラッギング・モジュールと、
前記ドラッギング・モジュールが前記フォルダをドラッグするプロセスにおいて、移動トリガ・イベントが検出されたとき、前記フォルダのキャプチャ領域がアプリケーション・アイコンを含むかどうかを判定するように構成された検出モジュールであって、前記移動トリガ・イベントは、アプリケーション・アイコンをフォルダの外部から前記フォルダに移動するのをトリガするために使用されるイベントであり、前記フォルダの前記キャプチャ領域は、前記タッチ・インタフェース内の前記フォルダの位置に従って決定されサイズが事前設定範囲内にある領域であるかまたは前記フォルダの前記キャプチャ領域は、前記タッチ・インタフェース内でユーザによりマークされた領域である検出モジュールと、
前記検出モジュールが、アプリケーション・アイコンが前記フォルダの前記キャプチャ領域の範囲内に存在すると判定したとき、前記フォルダの前記キャプチャ領域内の前記アプリケーション・アイコンを前記フォルダの外部から前記フォルダへ移動するように構成された追加モジュールと、
を備え、
前記移動トリガ・イベントは、
前記フォルダの前記キャプチャ領域をタップするイベントと、
前記フォルダの前記キャプチャ領域で第１の事前設定グラフを描画するイベントと、
前記タッチ・インタフェース内のドラッグされている前記フォルダの滞在期間が事前設定期間に到達した後に、前記フォルダの前記キャプチャ領域をタップするイベントと、
前記タッチ・インタフェース内のドラッグされている前記フォルダの滞在期間が事前設定期間に到達した後に、前記フォルダの前記キャプチャ領域で第１の事前設定グラフを描画するイベントと、
のうち少なくとも１つのイベントである、
装置。
【請求項１０】
前記追加モジュールはさらに、前記フォルダの前記キャプチャ領域内の前記アプリケーション・アイコンが前記フォルダの外部から前記フォルダへ移動したとき、前記アプリケーション・アイコンを前記フォルダに吸収させるアニメーション方式で、前記フォルダの前記キャプチャ領域内の前記アプリケーション・アイコンを前記フォルダの外部から前記フォルダへ移動するプロセスを表示するように構成された、請求項９に記載
の装置。
【請求項１１】
削除トリガ・イベントが検出されたときに、前記フォルダ内のアプリケーション・アイコンを前記フォルダの外部に移動するように構成された削除モジュールであって、前記削除トリガ・イベントは、アプリケーション・アイコンをフォルダから前記フォルダの外部へ移動するのをトリガするために使用される事前設定イベントである削除モジュール
をさらに備える、請求項９または１０に記載の装置。
【請求項１２】
端末のタッチ・インタフェース内のフォルダをドラッグするように構成されたドラッギング・モジュールと、
前記ドラッギング・モジュールが前記フォルダをドラッグするプロセスにおいて、削除トリガ・イベントが検出されたときに、前記フォルダ内のアプリケーション・アイコンを前記フォルダの外部に移動するように構成された除去モジュールであって、前記削除トリガ・イベントは、アプリケーション・アイコンをフォルダから前記フォルダの外部へ移動するのをトリガするために使用される事前設定イベントである除去モジュールと、
を備え、
前記除去モジュールはさらに、
前記削除トリガ・イベントが標準的な削除トリガ・イベントであることが検出されたとき前記フォルダ内の第１のアプリケーション・アイコンを前記フォルダの外部に移動させるステップであって、前記標準的な削除トリガ・イベントは、フォルダ内の前記第１のアプリケーション・アイコンを前記フォルダの外部に移動するのをトリガするために使用される事前設定イベントであるステップと、
前記削除トリガ・イベントが後続の削除トリガ・イベントであることが検出されたとき、前記フォルダ内の全てのアプリケーション・アイコンを前記フォルダの外部に移動するステップであって、前記後続の削除トリガ・イベントは、フォルダ内の全てのアプリケーション・アイコンを前記フォルダの外部に移動させるのをトリガするために使用される事前設定イベントであるステップと、
を実施するように構成された、
フォルダからアプリケーション・アイコンを削除するための装置。
【請求項１３】
前記削除トリガ・イベントは、
前記端末を振動させるイベントと、
前記フォルダを振動させるイベントと、
前記タッチ・インタフェースで第２の事前設定グラフを描画するイベントと、
前記端末を振動させた後に前記タッチ・インタフェースで第２の事前設定グラフを描画するイベントと、
前記フォルダを振動させた後に前記タッチ・インタフェースで第２の事前設定グラフを描画するイベントと、
のうち少なくとも１つのイベントである、請求項１２に記載の装置。
【請求項１４】
前記除去モジュールはさらに、前記削除トリガ・イベントが標準的な削除トリガ・イベントであることが検出されたとき、前記フォルダ内の前記第１のアプリケーション・アイコンを前記フォルダの外部に移動する前に、前記フォルダがオープン状態にありアイコン整列イベントが検出されたとき、前記フォルダ内の前記アプリケーション・アイコンを再整列するように構成され、前記アイコン整列イベントは、フォルダ内のアイコンの再整列をトリガするために使用される事前設定イベントである、請求項１３に記載の装置。
【請求項１５】
前記標準的な削除トリガ・イベントは前記端末をＮ回振動させるイベントであり、前記後続の削除トリガ・イベントは前記端末をＮ＋Ｍ回振動させるイベントであり、ＮとＭは両方とも１以上の自然数である、請求項１３または１４に記載の装置。
【請求項１６】
前記アイコン整列イベントは、
前記タッチ・インタフェースをスライドするイベントと、
前記タッチ・インタフェースで第３の事前設定グラフを描画するイベントと、
のうち少なくとも１つのイベントである、請求項１４に記載の装置。
【請求項１７】
タッチ・スクリーン、トランシーバ、メモリ、プロセッサ、およびバスを備えた端末であって、前記タッチ・スクリーン、前記トランシーバ、前記メモリ、および前記プロセッサは前記バスによって接続され、
前記メモリは１群のプログラム・コードを格納するように構成され、前記プロセッサは前記メモリに格納された前記プログラム・コードを起動して、
前記タッチ・スクリーンのタッチ・インタフェース内でフォルダをドラッグするステップと、
ドラッギング・モジュールが前記フォルダをドラッグするプロセスにおいて、予め設定された移動トリガ・イベントが検出されたときに、前記フォルダのキャプチャ領域がアプリケーション・アイコンを含むかどうかを判定するステップであって、前記移動トリガ・イベントは、アプリケーション・アイコンをフォルダの外部から前記フォルダに移動するのをトリガするために使用されるイベントであり、前記フォルダの前記キャプチャ領域は、前記タッチ・インタフェース内の前記フォルダの位置に従って決定されサイズが事前設定範囲内にある領域であるかまたは前記フォルダの前記キャプチャ領域は、前記タッチ・インタフェース内でユーザによりマークされた領域であるステップと、
検出モジュールが、アプリケーション・アイコンが前記フォルダの前記キャプチャ領域の範囲内に存在すると判定したとき、前記フォルダの前記キャプチャ領域内の前記アプリケーション・アイコンを前記フォルダの外部から前記フォルダへ移動するステップと、
を実施するように構成され、
前記移動トリガ・イベントは、
前記フォルダの前記キャプチャ領域をタップするイベントと、
前記フォルダの前記キャプチャ領域で第１の事前設定グラフを描画するイベントと、
前記タッチ・インタフェース内のドラッグされている前記フォルダの滞在期間が事前設定期間に到達した後に、前記フォルダの前記キャプチャ領域をタップするイベントと、
前記タッチ・インタフェース内のドラッグされている前記フォルダの滞在期間が事前設定期間に到達した後に、前記フォルダの前記キャプチャ領域で第１の事前設定グラフを描画するイベントと、
のうち少なくとも１つのイベントである、
端末。
【請求項１８】
前記プロセッサはさらに、
前記フォルダの前記キャプチャ領域内の前記アプリケーション・アイコンが前記フォルダの外部から前記フォルダへ移動したとき、前記アプリケーション・アイコンを前記フォルダに吸収させるアニメーション方式で、前記フォルダの前記キャプチャ領域内の前記アプリケーション・アイコンを前記フォルダの外部から前記フォルダへ移動するプロセスを表示するステップ
を実施するように構成された、請求項１７に記載の端末。
【請求項１９】
前記プロセッサはさらに、
削除トリガ・イベントが検出されたときに、前記フォルダ内のアプリケーション・アイコンを前記フォルダの外へ移動させるステップであって、前記削除トリガ・イベントは、アプリケーション・アイコンをフォルダから前記フォルダの外部へ移動するのをトリガするために使用される事前設定イベントであるステップ
を実施するように構成された、請求項１７または１８に記載の端末。
【請求項２０】
タッチ・スクリーン、トランシーバ、メモリ、プロセッサ、およびバスを備えた端末であって、前記タッチ・スクリーン、前記トランシーバ、前記メモリ、および前記プロセッサは前記バスによって接続され、
前記メモリは１群のプログラム・コードを格納するように構成され、前記プロセッサは前記メモリに格納された前記プログラム・コードを起動して、
前記タッチ・スクリーンのタッチ・インタフェース内でフォルダをドラッグするステップと、
ドラッギング・モジュールが前記フォルダをドラッグするプロセスにおいて、削除トリガ・イベントが検出されたときに、前記フォルダ内のアプリケーション・アイコンを前記フォルダの外部に移動させるステップであって、前記削除トリガ・イベントは、アプリケーション・アイコンをフォルダから前記フォルダの外部へ移動するのをトリガするために使用される事前設定イベントであるステップと、
を実施するように構成され、
前記プロセッサはさらに、
前記削除トリガ・イベントが標準的な削除トリガ・イベントであることが検出されたとき前記フォルダ内の第１のアプリケーション・アイコンを前記フォルダの外部に移動させるステップであって、前記標準的な削除トリガ・イベントは、フォルダ内の前記第１のアプリケーション・アイコンを前記フォルダの外部に移動するのをトリガするために使用される事前設定イベントであるステップと、
前記削除トリガ・イベントが後続の削除トリガ・イベントであることが検出されたとき、前記フォルダ内の全てのアプリケーション・アイコンを前記フォルダの外部に移動するステップであって、前記後続の削除トリガ・イベントは、フォルダ内の全てのアプリケーション・アイコンを前記フォルダの外部に移動させるのをトリガするために使用される事前設定イベントであるステップと、
を実施するように構成された、
端末。
【請求項２１】
前記削除トリガ・イベントは、
前記端末を振動させるイベントと、
前記フォルダを振動させるイベントと、
前記タッチ・インタフェースで第２の事前設定グラフを描画するイベントと、
前記端末を振動させた後に前記タッチ・インタフェースで第２の事前設定グラフを描画するイベントと、
前記フォルダを振動させた後に前記タッチ・インタフェースで第２の事前設定グラフを描画するイベントと、
のうち少なくとも１つのイベントである、請求項２０に記載の端末。
【請求項２２】
前記プロセッサはさらに、
前記削除トリガ・イベントが標準的な削除トリガ・イベントであることが検出されたとき、前記フォルダ内の前記第１のアプリケーション・アイコンを前記フォルダの外部に移動する前に、前記フォルダがオープン状態にありアイコン整列イベントが検出されたとき、前記フォルダ内の前記アプリケーション・アイコンを再整列するステップであって、前記アイコン整列イベントは、フォルダ内のアイコンの再整列をトリガするために使用される事前設定イベントであるステップ
を実施するように構成された、請求項２１に記載の端末。
【請求項２３】
前記標準的な削除トリガ・イベントは前記端末をＮ回振動させるイベントであり、前記後続の削除トリガ・イベントは前記端末をＮ＋Ｍ回振動させるイベントであり、ＮとＭは両方とも１以上の自然数である、請求項２１または２２に記載の端末。
【請求項２４】
前記アイコン整列イベントは、
前記タッチ・インタフェースをスライドするイベントと、
前記タッチ・インタフェースで第３の事前設定グラフを描画するイベントと、
のうち少なくとも１つのイベントである、請求項２２に記載の端末。
【発明の詳細な説明】
【技術分野】
【０００１】
本発明はコンピュータ技術に関し、特に、アプリケーション・アイコンを追加するための方法および装置ならびにアプリケーション・アイコンを削除するための方法および装置に関する。
【背景技術】
【０００２】
スマートフォンのプラットフォームは主にｉＰｈｏｎｅのＩＯＳ（アイフォン・オペレーティング・システム）システムとＡｎｄｒｏｉｄ（アンドロイド）システムを含む。アプリケーションとゲームが急増する時代では、スマートフォンのデスクトップが大量のまたは何百ものアプリケーション・アイコンを収容するのは極めて困難である。アプリケーション・アイコンを分類して管理するために、フォルダをデスクトップ上に作成し、様々なアプリケーション・アイコンをカテゴリで様々なフォルダに配置してもよい。
【０００３】
今日、ＩＯＳシステムとＡｎｄｒｏｉｄ  ＣＳシステムでは、複数のアプリケーション・アイコンを新たに生成されたフォルダに結合するプロセスは以下の通りである。即ち、アプリケーション・アイコンにタッチして保持し、当該アプリケーション・アイコンをドラッグし、当該アプリケーション・アイコンを別のアイコンにほぼ１秒だけ重ね合せて、当該アプリケーション・アイコンを解放する。当該アプリケーション・アイコンを解放した後、２つのアプリケーション・アイコンが重ね合された位置で新たなフォルダを作成するためのプロンプトが現れる。フォルダを生成した後、上述の２つのアプリケーション・アイコンが該フォルダに現れる。その後、次のアプリケーション・アイコンにタッチして保持し、当該アプリケーション・アイコンをドラッグし、当該アプリケーション・アイコンを上述のフォルダにほぼ１秒だけ重ね合せる。当該アプリケーション・アイコンを解放した後、当該アプリケーション・アイコンが上述のフォルダに追加される。同様な方法を用いることで、他のアプリケーション・アイコンが連続的に上述のフォルダに追加される。ユーザは、ユーザがアプリケーション・アイコンを当該フォルダに追加するたびに、タッチ、保持、ドラッグ、および解放の動作を実施する必要がある。AppNum個のアプリケーション・アイコンを当該フォルダに追加する場合には、必要な動作の総数Ｎは
AppNum x (touching and holding x 1, dragging x 1, and releasing x 1) = AppNum x 3
に等しい。
【発明の概要】
【発明が解決しようとする課題】
【０００４】
したがって、複数のアプリケーション・アイコンをフォルダに追加するとき、操作の数は相対的に大きく、動作ステップは面倒であり、低い動作効率と貧弱なユーザ・エクスペリエンスをもたらしうる。
【課題を解決するための手段】
【０００５】
本発明では、複数のアプリケーション・アイコンをフォルダに高速に追加するために、アプリケーション・アイコンを追加するための方法および装置ならびにアプリケーション・アイコンを削除するための方法および装置を提供する。それにより、操作の数が減り、動作効率とユーザ・エクスペリエンスが高まる。
【０００６】
第１の態様によれば、本発明では、アプリケーション・アイコンをフォルダに追加するための方法であって、端末のタッチ・インタフェース内のフォルダをドラッグするステップと、予め設定された移動トリガ・イベントが検出されたときに、当該フォルダのキャプチャ領域がアプリケーション・アイコンを含むかどうかを判定するステップであって、当該移動トリガ・イベントは、アプリケーション・アイコンをフォルダの外部から当該フォルダに移動するのをトリガするために使用されるイベントであり、当該フォルダの当該キャプチャ領域は、当該タッチ・インタフェース内の当該フォルダの位置に従って決定されサイズが事前設定範囲内にある領域であるかまたは当該フォルダの当該キャプチャ領域は、当該タッチ・インタフェース内でユーザによりマークされた領域であるステップと、アプリケーション・アイコンが当該フォルダの当該キャプチャ領域の範囲内に存在するとき、当該フォルダの当該キャプチャ領域内の当該アプリケーション・アイコンを当該フォルダの外部から当該フォルダへ移動するステップとを含む方法を提供する。
【０００７】
第１の態様を参照して、第１の可能な実装方式では、当該移動トリガ・イベントは、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントと、タッチ・インタフェース内のフォルダの滞在期間が事前設定期間に到達した後に、当該フォルダのキャプチャ領域をタップするイベントと、タッチ・インタフェース内のフォルダの滞在期間が事前設定期間に到達した後に、当該フォルダのキャプチャ領域で第１の事前設定グラフを描画するイベントとのうち少なくとも１つのイベントである。
【０００８】
第１の態様または第１の態様の第１の可能な実装方式を参照して、第２の可能な実装方式では、フォルダのキャプチャ領域内のアプリケーション・アイコンを当該フォルダの外部から当該フォルダへ移動するステップは特に、当該フォルダの当該キャプチャ領域内の当該アプリケーション・アイコンが当該フォルダの外部から当該フォルダへ移動したとき、当該アプリケーション・アイコンを当該フォルダに吸収させるアニメーション方式で当該移動プロセスを表示するステップを含む。
【０００９】
第１の態様または第１の態様の第１の可能な実装方式または第２の可能な実装方式を参照して、第３の可能な実装方式では、フォルダのキャプチャ領域内のアプリケーション・アイコンを当該フォルダの外部から当該フォルダへ移動した後に、当該方法はさらに、削除トリガ・イベントが検出されたときに、当該フォルダ内のアプリケーション・アイコンを当該フォルダの外へ移動させるステップであって、当該削除トリガ・イベントは、アプリケーション・アイコンをフォルダから当該フォルダの外部へ移動するのをトリガするために使用される事前設定イベントであるステップを含む。
【００１０】
第２の態様によれば、本発明は、端末のタッチ・インタフェース内のフォルダをドラッグするように構成されたドラッギング・モジュールと、当該ドラッギング・モジュールが当該フォルダをドラッグするプロセスにおいて、予め設定された移動トリガ・イベントが検出されたときに、当該フォルダのキャプチャ領域がアプリケーション・アイコンを含むかどうかを判定するように構成された検出モジュールであって、当該移動トリガ・イベントは、アプリケーション・アイコンをフォルダの外部から当該フォルダに移動するのをトリガするために使用されるイベントであり、当該フォルダの当該キャプチャ領域は、当該タッチ・インタフェース内の当該フォルダの位置に従って決定されサイズが事前設定範囲内にある領域であるかまたは当該フォルダの当該キャプチャ領域は当該タッチ・インタフェース内でユーザによりマークされた領域である検出モジュールと、当該検出モジュールが、アプリケーション・アイコンが当該フォルダの当該キャプチャ領域の範囲内に存在すると判定したとき、当該フォルダの当該キャプチャ領域内の当該アプリケーション・アイコンを当該フォルダの外部から当該フォルダへ移動するように構成された追加モジュールとを備えたアプリケーション・アイコンをフォルダに追加するための装置を提供する。
【００１１】
第２の態様を参照して、第１の可能な実装方式では、当該移動トリガ・イベントは、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントと、タッチ・インタフェース内のフォルダの滞在期間が事前設定期間に到達した後に、当該フォルダのキャプチャ領域をタップするイベントと、タッチ・インタフェース内のフォルダの滞在期間が事前設定期間に到達した後に、当該フォルダのキャプチャ領域で第１の事前設定グラフを描画するイベントとのうち少なくとも１つのイベントである。
【００１２】
第２の態様または第２の態様の第１の可能な実装方式を参照して、第２の可能な実装方式では、当該追加モジュールはさらに、フォルダのキャプチャ領域内のアプリケーション・アイコンが当該フォルダの外部から当該フォルダへ移動したとき、当該アプリケーション・アイコンを当該フォルダに吸収させるアニメーション方式で当該移動プロセスを表示するように構成される。
【００１３】
第２の態様または第２の態様の第１の可能な実装方式および第２の可能な実装方式を参照して、第３の可能な実装方式では、削除モジュールは削除トリガ・イベントが検出されたときに、フォルダ内のアプリケーション・アイコンを当該フォルダの外部に移動するように構成される。当該削除トリガ・イベントは、アプリケーション・アイコンをフォルダから当該フォルダの外部へ移動するのをトリガするために使用される事前設定イベントである。
【００１４】
上述の技術的解決策では、アプリケーション・アイコンをフォルダに追加するときに、当該フォルダをドラッグし、移動トリガ・イベントのトリガにより、当該追加すべきアプリケーション・アイコンが当該フォルダのキャプチャ領域にある場合には、当該追加すべきアプリケーション・アイコンを当該フォルダに移動する。次のアプリケーション・アイコンを追加するとき、当該フォルダを解放する必要はなく、その代り、当該フォルダをドラッグし続ける。当該次のアプリケーション・アイコンが当該フォルダの当該キャプチャ領域にある場合には、当該次のアプリケーション・アイコンも当該フォルダに移動する。したがって、AppNum個のアプリケーション・アイコンを当該フォルダに追加する必要がある場合には、追加を完了するのにAppNum回のドラッグと１回の解放のみを実施すればよい。一方で先行技術では、追加を完了するのにAppNum回のドラッグとAppNum回の解放を実施する必要がある。したがって、操作のステップが大幅に減り、アプリケーション・アイコンを高速にフォルダに追加する目的が達成される。上述のフォルダがごみ箱である場合には、必要でないアプリケーション・アイコンを高速にごみ箱に追加することができ、多数のアプリケーション・アイコンを高速に削除する目的が達成される。
【００１５】
第３の態様によれば、本発明は、端末のタッチ・インタフェース内のフォルダをドラッグするステップと、削除トリガ・イベントが検出されたときに当該フォルダ内のアプリケーション・アイコンを当該フォルダの外部に移動させるステップであって、当該削除トリガ・イベントは、アプリケーション・アイコンをフォルダから当該フォルダの外部へ移動するのをトリガするために使用される事前設定イベントであるステップとを含む、アプリケーション・アイコンをフォルダから削除するための方法を提供する。
【００１６】
第３の態様を参照して、第１の可能な実装方式では、当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。
【００１７】
第３の態様または第３の態様の第１の可能な実装方式を参照して、第２の可能な実装方式では、予め設定された削除トリガ・イベントが検出されたときにフォルダ内のアプリケーション・アイコンを当該フォルダの外部に移動させるステップは、当該削除トリガ・イベントが標準的な削除トリガ・イベントであることが検出されたとき、当該フォルダ内の第１のアプリケーション・アイコンを当該フォルダの外部に移動させるステップであって、当該標準的な削除トリガ・イベントは、フォルダ内の当該第１のアプリケーション・アイコンを当該フォルダの外部に移動するのをトリガするために使用される事前設定イベントであるステップと、当該削除トリガ・イベントが後続の削除トリガ・イベントであることが検出されたとき、当該フォルダ内の全てのアプリケーション・アイコンを当該フォルダの外部に移動するステップであって、当該後続の削除トリガ・イベントは、フォルダ内の全てのアプリケーション・アイコンを当該フォルダの外部に移動させるのをトリガするために使用される事前設定イベントであるステップとのうち少なくとも１つの動作を含む。
【００１８】
第３の態様または第３の態様の第１の可能な実装方式および第２の可能な実装方式を参照して、第３の可能な実装方式では、当該削除トリガ・イベントが予め設定された標準的な削除トリガ・イベントであることが検出されたときに、フォルダ内の第１のアプリケーション・アイコンを当該フォルダの外部に移動させる前に、当該方法はさらに、当該フォルダがオープン状態にありアイコン整列イベントが検出されたとき、当該フォルダ内の当該アプリケーション・アイコンを再整列するステップであって、当該アイコン整列イベントは、フォルダ内のアイコンの再整列をトリガするために使用される事前設定イベントであるステップを含む。
【００１９】
第３の態様または第３の態様の第１乃至第３の可能な実装方式を参照して、第４の可能な実装方式では、当該標準的な削除トリガ・イベントは端末をＮ回振動させるイベントであり、後続の削除トリガ・イベントは当該端末をＮ＋Ｍ回振動させるイベントであり、ＮとＭは両方とも１以上の自然数である。
【００２０】
第４の態様によれば、本発明は、端末のタッチ・インタフェース内のフォルダをドラッグするように構成されたドラッギング・モジュールと、当該ドラッギング・モジュールがフォルダをドラッグするプロセスにおいて、削除トリガ・イベントが検出されたときに、当該フォルダ内のアプリケーション・アイコンを当該フォルダの外部に移動するように構成された除去モジュールであって、当該削除トリガ・イベントは、アプリケーション・アイコンをフォルダから当該フォルダの外部へ移動するのをトリガするために使用される事前設定イベントである除去モジュールとを備えた、フォルダからアプリケーション・アイコンを削除するための装置を提供する。
【００２１】
第４の態様を参照して、第１の可能な実装方式では、当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントと、のうち少なくとも１つのイベントである。
【００２２】
第４の態様を参照してまたは第４の態様の第１の可能な実装方式を参照して、第２の可能な実装方式では、当該除去モジュールはさらに、当該削除トリガ・イベントが標準的な削除トリガ・イベントであることが検出されたときフォルダ内の第１のアプリケーション・アイコンを当該フォルダの外部に移動させるステップであって、当該標準的な削除トリガ・イベントは、フォルダ内の当該第１のアプリケーション・アイコンを当該フォルダの外部に移動するのをトリガするために使用される事前設定イベントであるステップと、当該削除トリガ・イベントが後続の削除トリガ・イベントであることが検出されたとき、当該フォルダ内の全てのアプリケーション・アイコンを当該フォルダの外部に移動するステップであって、当該後続の削除トリガ・イベントは、フォルダ内の全てのアプリケーション・アイコンを当該フォルダの外部に移動させるのをトリガするために使用される事前設定イベントであるステップとのうち少なくとも１つの動作を実施するように構成される。
【００２３】
第４の態様を参照してまたは第４の態様の第１の可能な実装方式および第２の可能な実装方式を参照して、第３の可能な実装方式では、当該除去モジュールはさらに、当該削除トリガ・イベントが標準的な削除トリガ・イベントであることが検出されたとき、フォルダ内の第１のアプリケーション・アイコンを当該フォルダの外部に移動する前に、当該フォルダがオープン状態にありアイコン整列イベントが検出されたとき、当該フォルダ内の当該アプリケーション・アイコンを再整列するように構成される。当該アイコン整列イベントは、フォルダ内のアイコンの再整列をトリガするために使用される事前設定イベントである。
【００２４】
第４の態様または第４の態様の第１乃至第３の可能な実装方式を参照して、第４の可能な実装方式では、当該標準的な削除トリガ・イベントは端末をＮ回振動させるイベントであり、当該後続の削除トリガ・イベントは当該端末をＮ＋Ｍ回振動させるイベントであり、ＮとＭは両方とも１以上の自然数である。
【００２５】
上述の技術的解決策では、削除トリガ・イベントが発生したときに、例えば、端末またはフォルダが振動されたときに、当該フォルダを開く必要もアプリケーション・アイコンをドラッグする必要もなしに、１つまたは複数のアプリケーション・アイコンを当該フォルダから削除することができる。しかし、先行技術では、フォルダを先ず開く必要があり、次いでアプリケーション・アイコンが当該フォルダから削除される。したがって、操作の数が減り、効率が高まる。
【００２６】
第５の態様によれば、本発明の１実施形態では、タッチ・スクリーン、トランシーバ、メモリ、プロセッサ、およびバスを備えた端末であって、当該タッチ・スクリーン、当該トランシーバ、当該メモリ、および当該プロセッサは当該バスによって接続され、当該メモリは１群のプログラム・コードを格納するように構成され、当該プロセッサは、当該メモリに格納された当該プログラム・コードを起動して、当該タッチ・スクリーンのタッチ・インタフェース内でフォルダをドラッグするステップと、ドラッギング・モジュールが当該フォルダをドラッグするプロセスにおいて、予め設定された移動トリガ・イベントが検出されたときに、当該フォルダのキャプチャ領域がアプリケーション・アイコンを含むかどうかを判定するステップであって、当該移動トリガ・イベントは、アプリケーション・アイコンをフォルダの外部から当該フォルダに移動するのをトリガするために使用されるイベントであり、当該フォルダの当該キャプチャ領域は、当該タッチ・インタフェース内の当該フォルダの位置に従って決定されサイズが事前設定範囲内にある領域であるかまたは当該フォルダの当該キャプチャ領域は当該タッチ・インタフェース内でユーザによりマークされた領域であるステップと、検出モジュールが、アプリケーション・アイコンが当該フォルダの当該キャプチャ領域の範囲内に存在すると判定したとき、当該フォルダの当該キャプチャ領域内の当該アプリケーション・アイコンを当該フォルダの外部から当該フォルダへ移動するステップとを実施するように構成された、端末を提供する。
【００２７】
第５の態様を参照して、第１の可能な実装方式では、当該移動トリガ・イベントは、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントと、タッチ・インタフェース内のフォルダの滞在期間が事前設定期間に到達した後に、当該フォルダのキャプチャ領域をタップするイベントと、タッチ・インタフェース内のフォルダの滞在期間が事前設定期間に到達した後に、当該フォルダのキャプチャ領域で第１の事前設定グラフを描画するイベントとのうち少なくとも１つのイベントである
【００２８】
第５の態様または第５の態様の第１の可能な実装方式を参照して、第２の可能な実装方式では、当該プロセッサはさらに、フォルダのキャプチャ領域内のアプリケーション・アイコンが当該フォルダの外部から当該フォルダへ移動したとき、当該アプリケーション・アイコンを当該フォルダに吸収させるアニメーション方式で当該移動プロセスを表示するステップを実施するように構成される。
【００２９】
第５の態様または第５の態様の第１の可能な実装方式および第２の可能な実装方式を参照して、第３の可能な実装方式では、当該プロセッサはさらに、削除トリガ・イベントが検出されたときに、フォルダ内のアプリケーション・アイコンを当該フォルダの外へ移動させるステップであって、当該削除トリガ・イベントは、アプリケーション・アイコンをフォルダから当該フォルダの外部へ移動するのをトリガするために使用される事前設定イベントであるステップを実施するように構成される。
【００３０】
上述の技術的解決策では、アプリケーション・アイコンをフォルダに追加するときには、当該フォルダをドラッグし、移動トリガ・イベントのトリガにより、当該追加すべきアプリケーション・アイコンが当該フォルダのキャプチャ領域にある場合には、当該追加すべきアプリケーション・アイコンを当該フォルダに移動する。次のアプリケーション・アイコンを追加するとき、当該フォルダを解放する必要はなく、その代り、当該フォルダをドラッグし続ける。当該次のアプリケーション・アイコンが当該フォルダの当該キャプチャ領域にある場合には、当該次のアプリケーション・アイコンも当該フォルダに移動される。したがって、AppNum個のアプリケーション・アイコンを当該フォルダに追加する必要がある場合には、追加を完了するのにAppNum回のドラッグと１回の解放のみを実施すればよい。一方で先行技術では、追加を完了するのにAppNum回のドラッグとAppNum回の解放を実施する必要がある。したがって、操作のステップが大幅に減り、アプリケーション・アイコンを高速にフォルダに追加する目的が達成される。上述のフォルダがごみ箱である場合には、必要でないアプリケーション・アイコンを高速にごみ箱に追加することができ、多数のアプリケーション・アイコンを高速に削除する目的が達成される。
【００３１】
第６の態様によれば、本発明の１実施形態ではさらに、タッチ・スクリーン、トランシーバ、メモリ、プロセッサ、およびバスを備えた端末であって、当該タッチ・スクリーン、当該トランシーバ、当該メモリ、および当該プロセッサは当該バスによって接続され、当該メモリは１群のプログラム・コードを格納するように構成され、当該プロセッサは、当該メモリに格納された当該プログラム・コードを起動して、当該タッチ・スクリーンのタッチ・インタフェース内でフォルダをドラッグするステップと、ドラッギング・モジュールが当該フォルダをドラッグするプロセスにおいて、削除トリガ・イベントが検出されたときに、当該フォルダ内のアプリケーション・アイコンを当該フォルダの外部に移動させるステップであって、当該削除トリガ・イベントは、アプリケーション・アイコンをフォルダから当該フォルダの外部へ移動するのをトリガするために使用される事前設定イベントであるステップとを実施するように構成された、端末を提供する。
【００３２】
第６の態様を参照して、第１の可能な実装方式では、当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。
【００３３】
第６の態様または第６の態様の第１の可能な実装方式を参照して、第２の可能な実装方式では、当該プロセッサはさらに、当該削除トリガ・イベントが標準的な削除トリガ・イベントであることが検出されたときフォルダ内の第１のアプリケーション・アイコンを当該フォルダの外部に移動させるステップであって、当該標準的な削除トリガ・イベントは、フォルダ内の当該第１のアプリケーション・アイコンを当該フォルダの外部に移動するのをトリガするために使用される事前設定イベントであるステップと、当該削除トリガ・イベントが後続の削除トリガ・イベントであることが検出されたとき、当該フォルダ内の全てのアプリケーション・アイコンを当該フォルダの外部に移動するステップであって、当該後続の削除トリガ・イベントは、フォルダ内の全てのアプリケーション・アイコンを当該フォルダの外部に移動させるのをトリガするために使用される事前設定イベントであるステップとのうち少なくとも１つの動作を実施するように構成される。
【００３４】
第６の態様または第６の態様の第１の可能な実装方式および第２の可能な実装方式を参照して、第３の可能な実装方式では、当該プロセッサはさらに、当該削除トリガ・イベントが標準的な削除トリガ・イベントであることが検出されたとき、フォルダ内の第１のアプリケーション・アイコンを当該フォルダの外部に移動する前に、および当該フォルダがオープン状態にありアイコン整列イベントが検出されたとき、当該フォルダ内の当該アプリケーション・アイコンを再整列するステップであって、当該アイコン整列イベントは、フォルダ内のアイコンの再整列をトリガするために使用される事前設定イベントであるステップを実施するように構成される。
【００３５】
第６の態様または第６の態様の第１乃至第３の可能な実装方式を参照して、第４の可能な実装方式では、当該標準的な削除トリガ・イベントは端末をＮ回振動させるイベントであり、当該後続の削除トリガ・イベントは当該端末をＮ＋Ｍ回振動させるイベントであり、ＮとＭは両方とも１以上の自然数である。
【００３６】
上述の技術的解決策では、削除トリガ・イベントが発生したときに、例えば、端末またはフォルダが振動されたときに、当該フォルダを開く必要もアプリケーション・アイコンをドラッグする必要もなしに、１つまたは複数のアプリケーション・アイコンを当該フォルダから削除することができる。しかし、先行技術では、フォルダを先ず開く必要があり、次いでアプリケーション・アイコンが当該フォルダから削除される。したがって、操作の数が減り、効率が高まる。
【図面の簡単な説明】
【００３７】
【図１Ａ】本発明の１実施形態に従うアプリケーション・アイコンをフォルダに追加するための方法の流れ図である。
【図１Ｂ】図１Ａのアプリケーション・シナリオの図である。
【図１Ｃ】図１Ａの別のアプリケーション・シナリオの図である。
【図２】本発明の１実施形態に従うフォルダを生成するための方法の流れ図である。
【図３】本発明の１実施形態に従うアプリケーション・アイコンをフォルダから削除するための方法の流れ図である。
【図４】本発明の１実施形態に従うアプリケーション・アイコンをフォルダに追加するための装置の略構造図である。
【図５】本発明の１実施形態に従う、アプリケーション・アイコンをフォルダに追加するための別の装置の略構造図である。
【図６】本発明の１実施形態に従う、フォルダからアプリケーション・アイコンを削除するための装置の略構造図である。
【発明を実施するための形態】
【００３８】
本発明の各方法の実施形態の実行部分は、タッチ・インタフェースを有する端末であり、特に、タッチ・インタフェースを有する端末内のプロセッサであってもよい。
【００３９】
図１Ａは、本発明の１実施形態に従うアプリケーション・アイコンをフォルダに追加するための方法の流れ図である。図１Ａに示すように、当該実施形態で提供する方法は以下を含む。
【００４０】
ステップ１１では、端末のタッチ・インタフェース内のフォルダをドラッグする。アプリケーション・アイコンをフォルダに追加するのを期待するとき、ユーザはタッチ・インタフェース内で当該フォルダをドラッグしてもよく、当該フォルダを、追加すべきアイコンの上または近傍の領域にドラッグする。
【００４１】
ステップ１２では、予め設定された移動トリガ・イベントが検出されたときに、当該フォルダのキャプチャ領域がアプリケーション・アイコンを含むかどうかを判定する。当該移動トリガ・イベントは、アプリケーション・アイコンをフォルダの外部から当該フォルダに移動するのをトリガするために使用されるイベントであり、当該フォルダの当該キャプチャ領域は、当該タッチ・インタフェース内の当該フォルダの位置に従って決定されサイズが事前設定範囲内にある領域であるかまたは当該フォルダの当該キャプチャ領域は、当該タッチ・インタフェース内でユーザによりマークされた領域である。
【００４２】
フォルダをドラッグするプロセスでは、予め設定された移動トリガ・イベントが検出されたとき、ドラッグされているフォルダのキャプチャ領域を以下のように決定する。即ち、アプリケーション・アイコンが当該キャプチャ領域の範囲に存在するかどうかを判定する。少なくとも１つのアプリケーション・アイコンまたは少なくとも１つのアプリケーション・アイコンの一部が当該キャプチャ領域にある場合には、アプリケーション・アイコンが当該キャプチャ領域に存在すると判定してもよい。アプリケーション・アイコンのどの部分も当該キャプチャ領域にない場合には、どのアプリケーション・アイコンも当該キャプチャ領域に存在しないと判定してもよい。当該キャプチャ領域をハイライト方式で表示してもよい。当該キャプチャ領域の形状が任意の形状、例えば、正方形または丸であってもよい。当該キャプチャ領域が複数のアイコンを収容してもよく、１つのアイコンを収容してもよい。ドラッグされているフォルダとドラッグされていないアプリケーション・アイコンを別々の層に配置してもよい。ドラッグされているフォルダのアプリケーション・アイコンがドラッグ層に配置され、ドラッグされていないアプリケーション・アイコンが固定層に配置され、当該キャプチャ領域が固定層に配置されている。ドラッグされているフォルダのキャプチャ領域を決定する２つの方法がある。１つ目の方式は以下の通りである。即ち、当該キャプチャ領域は、タッチ・インタフェース内のドラッグされているフォルダの位置に従って決定される。当該キャプチャ領域のサイズは事前設定範囲内にある。即ち、ドラッグされているフォルダのキャプチャ領域は、当該タッチ・インタフェース内のサイズが事前設定範囲内にあるフォルダの位置に従って決定される領域である。図１Ｂに示すように、当該キャプチャ領域が、ドラッグされているフォルダが中心として使用される領域であってもよく、ドラッグされているフォルダの位置を開始点として用いることで各方向、例えば、当該フォルダの左側、右側、上、または下の方向に延伸する領域であってもよい。
【００４３】
ドラッグされているフォルダのキャプチャ領域を決定するためのもう一方の方式は以下の通りである。即ち、当該フォルダを指でドラッグするとき、ユーザが、別の指を用いてタッチ・インタフェース内の特定の範囲を有する領域をマークしてもよい。即ち、ドラッグされているフォルダのキャプチャ領域は、端末の当該タッチ・インタフェースでユーザがマークした領域である。
【００４４】
当該移動トリガ・イベントが、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントとのうち少なくとも１つのイベントであってもよい。当該第１の事前設定グラフが、円、弧、矢印、または「レ」のようなグラフであってもよい。さらに、当該移動トリガ・イベントが上述のイベントの組合せであってもよい。例えば、タッチ・インタフェース内のフォルダの滞在期間が事前設定期間に到達した後に、当該フォルダのキャプチャ領域をタップするイベント、即ち、当該タッチ・インタフェース内の当該フォルダの滞在期間が事前設定期間に到達したことが検出された後かつ当該フォルダの当該キャプチャ領域がタップされたことがさらに検出されたときに、移動トリガ・イベントが発生したと考えられる。例えば、当該タッチ・インタフェース内の当該フォルダの滞在期間が事前設定期間に到達した後に、当該フォルダの当該キャプチャ領域で第１の事前設定グラフを描画するイベント、即ち、当該タッチ・インタフェース内の当該フォルダの滞在期間が事前設定期間に到達したことが検出された後かつ当該フォルダの当該キャプチャ領域内の第１の事前設定グラフをドラッグするイベントがさらに検出されたときに、移動トリガ・イベントが発生したと考えられる。
【００４５】
ステップ１３では、アプリケーション・アイコンがフォルダのキャプチャ領域の範囲内に存在する場合には、当該フォルダの当該キャプチャ領域内の当該アプリケーション・アイコンを当該フォルダの外部から当該フォルダへ移動する。
【００４６】
当該フォルダをドラッグし続け、上述のステップを繰り返す。全ての追加すべきアイコンが当該フォルダに追加されるまで、当該フォルダを解放する。当該フォルダのキャプチャ領域内のアプリケーション・アイコンが当該フォルダに移動した後、別のアプリケーション・アイコンも当該フォルダに追加する必要がある場合には、当該フォルダをドラッグし続け、当該フォルダを、追加すべきアイコンの上または近傍の領域にドラッグしてもよい。ステップ１２とステップ１３を繰り返し、全ての追加すべきアイコンが当該フォルダに移動されるまで、当該フォルダを解放する。
【００４７】
例えば、図１Ｃに示すように、電子メール・アイコンをプログラム・フォルダに追加する必要があるとき、当該プログラム・フォルダがドラッグされ、当該プログラム・フォルダが電子メール・アイコンの近くの領域にドラッグされ、その結果、電子メール・アイコンが当該プログラム・フォルダのキャプチャ領域に存在する。当該プログラム・フォルダがタッチ・インタフェースに５００ｍｓだけ留まった後、電子メール・アイコンが当該プログラム・フォルダの当該キャプチャ領域にあることが検出された場合には、電子メール・アイコンが当該プログラム・フォルダの外部から当該プログラム・フォルダに移動される。娯楽性を高めるために、電子メール・アイコンの当該プログラム・フォルダへの移動を、電子メール・アイコンを当該フォルダに吸収するアニメーション方式でユーザに表示してもよい。ゲームアイコンも当該プログラム・フォルダに追加する必要がある場合には、当該プログラム・フォルダをドラッグし続けて、ゲームアイコンが当該プログラム・フォルダの近くにあるようにする。当該プログラム・フォルダが当該キャプチャ領域に５００ｍｓだけ留まるとき、ゲームアイコンが当該プログラム・フォルダの当該キャプチャ領域にあることが検出された場合には、ゲームアイコンを当該プログラム・フォルダに移動する。全てのアイコンが当該プログラム・フォルダに追加された場合には、当該プログラム・フォルダを期待された位置に解放する。
【００４８】
場合によっては、ドラッグされているフォルダのキャプチャ領域内のアプリケーション・アイコンをドラッグされているフォルダの外から当該フォルダに移動するプロセスにおいて、当該アプリケーション・アイコンをドラッグされているフォルダに吸収する上述のアニメーション方式を使用して、当該アプリケーション・アイコンがドラッグされているフォルダの外からドラッグされているフォルダに移動される上述の移動プロセスを表示して、娯楽性を高めてもよい。
【００４９】
さらに、当該アプリケーション・アイコンをドラッグされているフォルダに移動した後、当該アプリケーション・アイコンが期待された追加すべきアプリケーション・アイコンでないと分かった場合には、削除トリガ・イベントが検出されたときに、ドラッグされているフォルダ内の当該アプリケーション・アイコンをドラッグされているフォルダの外に戻して、当該アプリケーション・アイコンを元の位置に復元してもよい。当該削除トリガ・イベントは、アプリケーション・アイコンをフォルダから当該フォルダの外部へ移動するのをトリガするために使用される事前設定イベントである。当該削除トリガ・イベントが端末を振動させてもよく、例えば、当該端末を左から右または上から下に振動させてもよい。当該削除トリガ・イベントが当該フォルダを振動させてもよく、例えば、当該フォルダを各方向に振動させてもよい。当該端末が振動しているかどうかを判定するために当該端末の組込みのジャイロスコープを使用してもよい。
【００５０】
当該実施形態で提供する方法によれば、アプリケーション・アイコンをフォルダに追加するとき、当該フォルダをドラッグし、移動トリガ・イベントのトリガにより、当該追加すべきアプリケーション・アイコンが当該フォルダのキャプチャ領域にある場合には、当該追加すべきアプリケーション・アイコンを当該フォルダに移動する。次のアプリケーション・アイコンを追加するとき、当該フォルダを解放する必要はない。その代り、当該フォルダをドラッグし続ける。当該次のアプリケーション・アイコンが当該フォルダの当該キャプチャ領域にある場合には、当該次のアプリケーション・アイコンも当該フォルダに移動する。したがって、AppNum個のアプリケーション・アイコンを当該フォルダに追加する必要がある場合には、追加を完了するのにAppNum回のドラッグと１回の解放のみを実施すればよい。一方で先行技術では、追加を完了するのにAppNum回のドラッグとAppNum回の解放を実施する必要がある。したがって、操作のステップが大幅に減り、アプリケーション・アイコンを高速にフォルダに追加する目的が達成される。上述のフォルダがごみ箱である場合には、必要でないアプリケーション・アイコンを高速にごみ箱に追加することができ、多数のアプリケーション・アイコンを高速に削除する目的が達成される。
【００５１】
図２は、本発明の１実施形態に従うフォルダを生成するための方法の流れ図である。当該実施形態では、フォルダを生成する方法、例えば、図１Ａに対応する実施形態でドラッグされているフォルダを生成するプロセスを説明する。図２に示すように、当該実施形態で提供する方法は以下を含む。
【００５２】
ステップ２１では、端末のタッチ・インタフェース内のアプリケーション・アイコンをドラッグする。ステップ２２では、予め設定された移動トリガ・イベントが検出されたときに、ドラッグされているアプリケーション・アイコンのキャプチャ領域の範囲にアプリケーション・アイコンが存在するかどうかを判定する。
【００５３】
当該アプリケーション・アイコンをドラッグするプロセスにおいて、予め設定された移動トリガ・イベントが検出されたとき、例えば、ドラッグされたアプリケーション・アイコンのキャプチャ領域をユーザがタップしたことが検出されたとき、または、ドラッグされたアプリケーション・アイコンのキャプチャ領域内のアプリケーション・アイコンの周囲で、円のジェスチャのような第１の事前設定グラフをユーザが描画したことが検出されたとき、または、当該タッチ・インタフェース内のドラッグされている当該アプリケーション・アイコンの滞在期間が事前設定期間に到達したことが検出されたとき、ドラッグされたアプリケーション・アイコンのキャプチャ領域を以下のように決定する。即ち、アプリケーション・アイコンが当該キャプチャ領域の範囲に存在するかどうかを判定する。少なくとも１つのアプリケーション・アイコンまたは少なくとも１つのアプリケーション・アイコンの一部が当該キャプチャ領域にある場合には、アプリケーション・アイコンが当該キャプチャ領域に存在すると判定してもよい。アプリケーション・アイコンのどの部分も当該キャプチャ領域にない場合には、どのアプリケーション・アイコンも当該キャプチャ領域に存在しないと判定してもよい。当該キャプチャ領域をハイライト方式で表示してもよい。当該キャプチャ領域の形状が任意の形状、例えば、正方形または丸であってもよい。当該キャプチャ領域が複数のアイコンを収容してもよく、１つのアイコンを収容してもよい。ドラッグされているアプリケーション・アイコンとドラッグされていないアプリケーション・アイコンを別々の層に配置してもよい。ドラッグされているアプリケーション・アイコンがドラッグ層に配置され、ドラッグされていないアプリケーション・アイコンが固定層に配置され、当該キャプチャ領域が固定層に配置されている。
【００５４】
ドラッグされているフォルダのキャプチャ領域を決定する方式と同様に、ドラッグされているアプリケーション・アイコンのキャプチャ領域を決定する２つの方式がある。１つ目の方式は以下の通りである。即ち、当該キャプチャ領域はタッチ・インタフェース内のドラッグされているアプリケーション・アイコンの位置に従って決定される。当該キャプチャ領域のサイズは事前設定範囲内にある。即ち、ドラッグされているアプリケーション・アイコンのキャプチャ領域は、タッチ・インタフェースでドラッグされサイズが事前設定範囲内にあるアプリケーション・アイコンの位置に従って決定される領域である。同様に、ドラッグされているアプリケーション・アイコンのキャプチャ領域が、ドラッグされているアプリケーション・アイコンが中心として使用される領域であってもよく、ドラッグされているアイコンの位置を開始点として用いて外部に延伸する領域であってもよい。
【００５５】
ドラッグされているアプリケーション・アイコンのキャプチャ領域を決定するためのもう１つの方式は以下の通りである。即ち、指を用いてアプリケーション・アイコンをドラッグするとき、ユーザが、別の指を用いてタッチ・インタフェース内の特定の範囲を有する領域をマークしてもよい。即ち、ドラッグされているアプリケーション・アイコンのキャプチャ領域は端末の当該タッチ・インタフェースでユーザがマークした領域である。
【００５６】
同様に、当該移動トリガ・イベントが、ドラッグされているアプリケーション・アイコンのキャプチャ領域をタップするイベントと、ドラッグされているアプリケーション・アイコンのキャプチャ領域で第１の事前設定グラフを描画するイベントと、タッチ・インタフェース内のドラッグされているアプリケーション・アイコンの滞在期間が事前設定期間に到達したというイベントとのうち少なくとも１つのイベントであってもよい。当該第１の事前設定グラフが円、弧、または矢印のようなグラフであってもよい。さらに、当該移動トリガ・イベントが上述のイベントの組合せであってもよい。例えば、当該タッチ・インタフェース内のドラッグされているアプリケーション・アイコンの滞在期間が事前設定期間に到達した後、ドラッグされているアプリケーション・アイコンのキャプチャ領域をタップするイベント、即ち、当該タッチ・インタフェース内のドラッグされているアプリケーション・アイコンの滞在期間が事前設定期間に到達したことが検出された後、かつ、ドラッグされているアプリケーション・アイコンの当該キャプチャ領域がタップされたことがさらに検出されたとき、移動トリガ・イベントが発生したと考えられる。例えば、当該タッチ・インタフェース内のドラッグされているアプリケーション・アイコンの滞在期間が事前設定期間に到達した後、ドラッグされているアプリケーション・アイコンのキャプチャ領域で第１の事前設定グラフを描画するイベント、即ち、当該タッチ・インタフェース内のドラッグされているアプリケーション・アイコンの滞在期間が事前設定期間に到達したことが検出された後、かつ、ドラッグされているアプリケーション・アイコンのキャプチャ領域で第１の事前設定グラフを描画するイベントがさらに検出されたときに、移動トリガ・イベントが発生したと考えられる。
【００５７】
ステップ２３では、ドラッグされているアプリケーション・アイコンのキャプチャ領域の範囲にアプリケーション・アイコンが存在するとき、ドラッグされているアプリケーション・アイコンの位置でフォルダが生成され、ドラッグされているアプリケーション・アイコンとドラッグされているアプリケーション・アイコンのキャプチャ領域の範囲にあるアプリケーション・アイコンとを当該フォルダの外部から当該フォルダへ別々に移動する。
【００５８】
ドラッグされているアプリケーション・アイコンのキャプチャ領域の範囲にアプリケーション・アイコンが存在するとき、当該アプリケーション・アイコンが、ドラッグされているアプリケーション・アイコンと同じフォルダに追加されるとユーザにより期待されるアプリケーション・アイコンであると判定する。したがって、ドラッグされているアプリケーション・アイコンの位置で新たなフォルダが生成され、ドラッグされているアプリケーション・アイコンとドラッグされているアプリケーション・アイコンのキャプチャ領域の範囲にあるアプリケーション・アイコンとが、新たに生成されたフォルダの外部から当該フォルダに別々に移動される。
【００５９】
場合によっては、ドラッグされているアプリケーション・アイコンとドラッグされているアプリケーション・アイコンのキャプチャ領域の範囲にあるアプリケーション・アイコンとが、新たに生成されたフォルダの外部から当該フォルダへ移動されるプロセスにおいて、当該アプリケーション・アイコンを当該フォルダに吸収するアプリケーション方式を使用して、ドラッグされているフォルダの外からドラッグされているフォルダに当該アプリケーション・アイコンが移動される移動プロセスを表示して、娯楽性を高めてもよい。
【００６０】
例えば、カメラ・アイコンとギャラリ・アイコンを新たなフォルダにコピーまたはカットすることをユーザが期待する場合には、ユーザは、カメラ・アイコンがドラッグされた状態にあるように指を用いてカメラ・アイコンをタッチして保持し、次いで、指を動かすことでカメラ・アイコンをギャラリ・アイコンの上または近傍の領域にドラッグしてもよい。タッチ・インタフェースにおいてドラッグされた状態にあるカメラアイコンの滞在期間が事前設定期間に到達すると、アプリケーション・アイコンがキャプチャ領域の範囲に存在するかどうかを判定する。アプリケーション・アイコンが存在する場合には、新たなフォルダが当該タッチ・インタフェースで生成され、カメラアイコンとギャラリ・アイコンが別々に当該フォルダの外部から当該フォルダへ移動される。
【００６１】
図３は、本発明の１実施形態に従うアプリケーション・アイコンをフォルダから削除するための方法の流れ図である。図３に示すように、当該実施形態で提供する方法は以下を含む。
【００６２】
ステップ３１では、端末のタッチ・インタフェース内のフォルダをドラッグする。ステップ３２では、削除トリガ・イベントが検出されたときに、当該フォルダ内のアプリケーション・アイコンを当該フォルダの外部に移動する。当該削除トリガ・イベントは、アプリケーション・アイコンをフォルダから当該フォルダの外部へ移動するのをトリガするために使用される事前設定イベントである。
【００６３】
特に、当該削除トリガ・イベントは、端末を振動させるイベント、例えば、当該端末を左から右または上から下に振動させるイベントであって、当該端末が振動しているかどうかを判定するために当該端末の組込みのジャイロスコープを使用してもよいイベントと、フォルダを振動させるイベント、例えば、当該フォルダをタッチ・インタフェースの各方向に振動させるイベントと、タッチ・インタフェースで第２の事前設定グラフを描画するイベント、例えば、三角形または「ｘ」のようなグラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。上述の方法を用いることによって、上述のフォルダがごみ箱である場合には、削除トリガ・イベントが検出されたときに、ごみ箱の中の１つまたは複数のアイコンをごみ箱から削除してもよい。
【００６４】
当該実施形態で提供する方法によれば、削除トリガ・イベントが発生したとき、例えば、端末またはフォルダが振動されたときに、１つまたは複数のアイコンを、当該フォルダを開く必要もなく当該アプリケーション・アイコンをドラッグする必要もなしに、当該フォルダから削除することができる。しかし、先行技術では、フォルダを先ず開く必要があり、次にアプリケーション・アイコンが当該フォルダから削除される。したがって、当該実施形態では、操作の数が減り、効率が高まる。
【００６５】
さらに、当該削除トリガ・イベントが標準的な削除トリガ・イベントであることが検出されたとき、当該フォルダ内の第１のアプリケーション・アイコンを当該フォルダの外部に移動させる。当該標準的な削除トリガ・イベントは、第１のアプリケーション・アイコンをフォルダから当該フォルダの外部に移動するのをトリガするために使用される事前設定イベントである。当該標準的な削除トリガ・イベントが端末をＮ回振動させるイベントであってもよい。Ｎは１以上の自然数である。例えば、当該端末を１回振動させることが標準的な削除トリガ・イベントである。
【００６６】
場合によっては、当該削除トリガ・イベントが予め設定された標準的な削除トリガ・イベントであることが検出されたとき、フォルダ内の第１のアプリケーション・アイコンを当該フォルダの外部に移動させる前に、当該方法はさらに、当該フォルダがオープン状態にありアイコン整列イベントが検出されたとき、当該フォルダ内の当該アプリケーション・アイコンを再整列するステップであって、当該アイコン整列イベントは、フォルダ内のアイコンの再整列をトリガするために使用される事前設定イベントであるステップを含む。当該アイコン整列イベントは、当該タッチ・インタフェースをスライドするイベント、例えば、当該タッチ・インタフェースを上から下または左から右にスライドするイベント、および当該タッチ・インタフェースで第３の事前設定グラフを描画するイベントのうち少なくとも１つのイベントであってもよい。
【００６７】
さらに、当該削除トリガ・イベントが後続の削除トリガ・イベントであることが検出されたとき、当該フォルダ内の全てのアプリケーション・アイコンは当該フォルダの外へ連続的に移動される。当該後続の削除トリガ・イベントは、フォルダ内の全てのアプリケーション・アイコンを当該フォルダの外部に移動させるのをトリガするために使用される事前設定イベントである。当該後続の削除トリガ・イベントは端末をＮ＋Ｍ回振動させている。ＮとＭは両方とも１以上の自然数である。例えば、当該端末を３回以上振動させるのは後続の削除トリガ・イベントである。
【００６８】
図４は、本発明の１実施形態に従うアプリケーション・アイコンをフォルダに追加するための装置の略構造図である。図４に示すように、当該実施形態で提供する装置は、ドラッギング・モジュール４１、検出モジュール４２、および追加モジュール４３を備える。
【００６９】
ドラッギング・モジュール４１は、端末のタッチ・インタフェース内のフォルダをドラッグするように構成される。
【００７０】
検出モジュール４２は、当該ドラッギング・モジュールが当該フォルダをドラッグするプロセスにおいて、予め設定された移動トリガ・イベントが検出されたときに、当該フォルダのキャプチャ領域がアプリケーション・アイコンを含むかどうかを判定するように構成される。当該移動トリガ・イベントは、アプリケーション・アイコンをフォルダの外部から当該フォルダに移動するのをトリガするために使用されるイベントであり、当該フォルダの当該キャプチャ領域は、タッチ・インタフェース内の当該フォルダの位置に従って決定されサイズが事前設定範囲内にある領域であるかまたは当該フォルダの当該キャプチャ領域は、当該タッチ・インタフェース内でユーザによりマークされた領域である。
【００７１】
場合によっては、当該移動トリガ・イベントは、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントと、タッチ・インタフェース内のフォルダの滞在期間が事前設定期間に到達した後に、フォルダのキャプチャ領域をタップするイベントと、タッチ・インタフェース内のフォルダの滞在期間が事前設定期間に到達した後に、当該フォルダのキャプチャ領域で第１の事前設定グラフを描画するイベントとのうち少なくとも１つのイベントである。
【００７２】
追加モジュール４３は、当該検出モジュールが、アプリケーション・アイコンがフォルダのキャプチャ領域の範囲内に存在すると判定したとき、当該フォルダの当該キャプチャ領域内の当該アプリケーション・アイコンを当該フォルダの外部から当該フォルダへ移動するように構成される。
【００７３】
場合によっては、追加モジュール４３はさらに、当該フォルダの当該キャプチャ領域内の当該アプリケーション・アイコンが当該フォルダの外部から当該フォルダへ移動したとき、当該アプリケーション・アイコンを当該フォルダに吸収させるアニメーション方式で当該移動プロセスを表示するように構成される。
【００７４】
図４に示す装置における各モジュールの機能については、図１Ａに対応する実施形態の説明を参照されたい。詳細についてはここでは繰返し説明しない。
【００７５】
当該実施形態で提供する装置によれば、アプリケーション・アイコンをフォルダに追加するとき、当該フォルダをドラッグし、移動トリガ・イベントのトリガにより、当該追加すべきアプリケーション・アイコンが当該フォルダのキャプチャ領域にある場合に、当該追加すべきアプリケーション・アイコンを当該フォルダに移動する。次のアプリケーション・アイコンを追加するとき、当該フォルダを解放する必要はない。その代り、当該フォルダをドラッグし続ける。当該次のアプリケーション・アイコンが当該フォルダの当該キャプチャ領域にある場合には、当該次のアプリケーション・アイコンも当該フォルダに移動する。したがって、AppNum個のアプリケーション・アイコンを当該フォルダに追加する必要がある場合には、追加を完了するのにAppNum回のドラッグと１回の解放のみを実施すればよい。一方で先行技術では、追加を完了するのにAppNum回のドラッグとAppNum回の解放を実施する必要がある。したがって、操作のステップが大幅に減り、アプリケーション・アイコンを高速にフォルダに追加する目的が達成される。上述のフォルダがごみ箱である場合には、必要でないアプリケーション・アイコンを高速にごみ箱に追加することができ、多数のアプリケーション・アイコンを高速に削除する目的が達成される。
【００７７】
図５に示すように、図４に示す装置がさらに削除モジュール４４を備えてもよい。
【００７８】
削除モジュール４４は、削除トリガ・イベントが検出されたときに、当該フォルダ内のアプリケーション・アイコンを当該フォルダの外部に移動するように構成される。当該削除トリガ・イベントは、アプリケーション・アイコンをフォルダから当該フォルダの外部へ移動するのをトリガするために使用される事前設定イベントである。
【００７９】
当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。
【００８０】
図５に示す装置における各モジュールの機能については、図１Ａおよび図３に対応する実施形態の説明を参照されたい。詳細についてはここでは繰返し説明しない。
【００８１】
図６は、本発明の１実施形態に従うフォルダからアプリケーション・アイコンを削除するための装置の略構造図である。図６に示すように、当該実施形態で提供する装置はドラッギング・モジュール６１と除去モジュール６２を備える。
【００８２】
ドラッギング・モジュール６１は、端末のタッチ・インタフェース内のフォルダをドラッグするように構成される。
【００８３】
除去モジュール６２は、ドラッギング・モジュール６１がフォルダをドラッグするプロセスにおいて、予め設定された削除トリガ・イベントが検出されたときに、当該フォルダ内のアプリケーション・アイコンを当該フォルダの外部に移動するように構成される。当該削除トリガ・イベントは、アプリケーション・アイコンをフォルダから当該フォルダの外部へ移動するのをトリガするために使用されるイベントである。
【００８４】
場合によっては、当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。
【００８５】
場合によっては、除去モジュール６２はさらに、当該削除トリガ・イベントが標準的な削除トリガ・イベントであることが検出されたとき、フォルダ内の第１のアプリケーション・アイコンを当該フォルダの外部に移動させるように構成される。当該標準的な削除トリガ・イベントは、フォルダ内の当該第１のアプリケーション・アイコンを当該フォルダの外部に移動するのをトリガするために使用される事前設定イベントである。さらに、除去モジュール６２はさらに、当該削除トリガ・イベントが予め設定された標準的な削除トリガ・イベントであることが検出され、当該フォルダがオープン状態にありアイコン整列イベントが検出されたとき、当該フォルダ内の当該第１のアプリケーション・アイコンを当該フォルダの外部に移動させる前に、当該フォルダ内の当該アプリケーション・アイコンを再整列するように構成される。当該アイコン整列イベントは、フォルダ内のアイコンの再整列をトリガするために使用される事前設定イベントである。当該標準的な削除トリガ・イベントは端末をＮ回振動させている。Ｎは１以上の自然数である。
【００８６】
場合によっては、除去モジュール６２はさらに、当該削除トリガ・イベントが後続の削除トリガ・イベントであることが検出されたとき、当該フォルダ内の全てのアプリケーション・アイコンを当該フォルダの外に連続的に移動させるように構成される。当該後続の削除トリガ・イベントは、フォルダ内の全てのアプリケーション・アイコンを当該フォルダの外部に移動させるのをトリガするために使用される事前設定イベントである。当該後続の削除トリガ・イベントは端末をＮ＋Ｍ回振動させている。ＮとＭは両方とも１以上の自然数である。
【００８７】
図６に示す装置における各モジュールの機能については、図３に対応する実施形態の説明を参照されたい。詳細についてはここでは繰返し説明しない。
【００８８】
当該実施形態で提供する装置によれば、削除トリガ・イベントが発生したとき、例えば、端末またはフォルダが振動されたときに、当該フォルダを開く必要も当該アプリケーション・アイコンをドラッグする必要もなしに、１つまたは複数のアプリケーション・アイコンを当該フォルダから削除することができる。しかし、先行技術では、フォルダを先ず開く必要があり、次いでアプリケーション・アイコンが当該フォルダから削除される。したがって、操作の数が減り、効率が高まる。
【００８９】
本発明の１実施形態ではさらに、タッチ・スクリーン、トランシーバ、メモリ、プロセッサ、およびバスを備えた端末であって、当該タッチ・スクリーン、当該トランシーバ、当該メモリ、および当該プロセッサは当該バスによって接続され、当該メモリは１群のプログラム・コードを格納するように構成され、当該プロセッサは、当該メモリに格納された当該プログラム・コードを起動して、当該タッチ・スクリーンのタッチ・インタフェース内でフォルダをドラッグするステップと、ドラッギング・モジュールが当該フォルダをドラッグするプロセスにおいて、予め設定された移動トリガ・イベントが検出されたときに、当該フォルダのキャプチャ領域がアプリケーション・アイコンを含むかどうかを判定するステップであって、当該移動トリガ・イベントは、アプリケーション・アイコンをフォルダの外部から当該フォルダに移動するのをトリガするために使用されるイベントであり、当該フォルダの当該キャプチャ領域は、当該タッチ・インタフェース内の当該フォルダの位置に従って決定されサイズが事前設定範囲内にある領域であるかまたは当該フォルダの当該キャプチャ領域は、当該タッチ・インタフェース内でユーザによりマークされた領域であるステップと、検出モジュールが、アプリケーション・アイコンが当該フォルダの当該キャプチャ領域の範囲内に存在すると判定したとき、当該フォルダの当該キャプチャ領域内の当該アプリケーション・アイコンを当該フォルダの外部から当該フォルダへ移動するステップとを実施するように構成された、端末を提供する。
【００９０】
当該移動トリガ・イベントは、フォルダのキャプチャ領域をタップするイベントと、フォルダのキャプチャ領域で第１の事前設定グラフを描画するイベントと、タッチ・インタフェース内のフォルダの滞在期間が事前設定期間に到達したというイベントと、タッチ・インタフェース内のフォルダの滞在期間が事前設定期間に到達した後に、当該フォルダのキャプチャ領域をタップするイベントと、タッチ・インタフェース内のフォルダの滞在期間が事前設定期間に到達した後に、当該フォルダのキャプチャ領域で第１の事前設定グラフを描画するイベントとのうち少なくとも１つのイベントである。
【００９１】
場合によっては、当該プロセッサはさらに、フォルダのキャプチャ領域内のアプリケーション・アイコンが当該フォルダの外部から当該フォルダへ移動したとき、当該アプリケーション・アイコンを当該フォルダに吸収させるアニメーション方式で当該移動プロセスを表示するステップを実施するように構成される。
【００９２】
場合によっては、当該プロセッサはさらに、削除トリガ・イベントが検出されたときに、当該フォルダ内のアプリケーション・アイコンを当該フォルダの外へ移動させるステップであって、当該削除トリガ・イベントは、アプリケーション・アイコンをフォルダから当該フォルダの外部へ移動するのをトリガするために使用される事前設定イベントであるステップを実施するように構成される。
【００９３】
本発明の１実施形態ではさらに、タッチ・スクリーン、トランシーバ、メモリ、プロセッサ、およびバスを備えた端末であって、当該タッチ・スクリーン、当該トランシーバ、当該メモリ、および当該プロセッサは当該バスによって接続され、当該メモリは１群のプログラム・コードを格納するように構成され、当該プロセッサは、当該メモリに格納された当該プログラム・コードを起動して、当該タッチ・スクリーンのタッチ・インタフェース内でフォルダをドラッグするステップと、ドラッギング・モジュールが当該フォルダをドラッグするプロセスにおいて、削除トリガ・イベントが検出されたときに、当該フォルダ内のアプリケーション・アイコンを当該フォルダの外部に移動させるステップであって、当該移動トリガ・イベントは、アプリケーション・アイコンをフォルダから当該フォルダの外部へ移動するのをトリガするために使用される事前設定イベントであるステップとを実施するように構成された、端末を提供する。
【００９４】
場合によっては、当該削除トリガ・イベントは、端末を振動させるイベントと、フォルダを振動させるイベントと、タッチ・インタフェースで第２の事前設定グラフを描画するイベントと、端末を振動させた後にタッチ・インタフェースで第２の事前設定グラフを描画するイベントと、フォルダを振動させた後にタッチ・インタフェースで第２の事前設定グラフを描画するイベントとのうち少なくとも１つのイベントである。
【００９５】
場合によっては、当該プロセッサはさらに、当該削除トリガ・イベントが標準的な削除トリガ・イベントであることが検出されたときに、フォルダ内の第１のアプリケーション・アイコンを当該フォルダの外部に移動させるステップであって、当該標準的な削除トリガ・イベントは、フォルダ内の当該第１のアプリケーション・アイコンを当該フォルダの外部に移動するのをトリガするために使用される事前設定イベントであるステップと、当該削除トリガ・イベントが後続の削除トリガ・イベントであることが検出されたとき、当該フォルダ内の全てのアプリケーション・アイコンを当該フォルダの外部に移動するステップであって、当該後続の削除トリガ・イベントは、フォルダ内の全てのアプリケーション・アイコンを当該フォルダの外部に移動させるのをトリガするために使用される事前設定イベントであるステップとのうち少なくとも１つの動作を実施するように構成される。
【００９６】
場合によっては、当該プロセッサはさらに、当該削除トリガ・イベントが標準的な削除トリガ・イベントであることが検出されたとき、フォルダ内の第１のアプリケーション・アイコンを当該フォルダの外部に移動する前に、当該フォルダがオープン状態にありアイコン整列イベントが検出されたとき、当該フォルダ内の当該アプリケーション・アイコンを再整列するステップであって、当該アイコン整列イベントは、フォルダ内のアイコンの再整列をトリガするために使用される事前設定イベントであるステップを実施するように構成される。
【００９７】
場合によっては、当該標準的な削除トリガ・イベントは端末をＮ回振動させるイベントであり、当該後続の削除トリガ・イベントは当該端末をＮ＋Ｍ回振動させるイベントであり、ＮとＭは両方とも１以上の自然数である。
【００９８】
場合によっては、当該アイコン整列イベントは、タッチ・インタフェースをスライドするイベントと、タッチ・インタフェースで第３の事前設定グラフを描画するイベントとのうち少なくとも１つのイベントである。
【００９９】
方法の実施形態のステップの全部または一部を、関連するハードウェアに指示するプログラムにより実装してもよいことは当業者により理解される。当該プログラムをコンピュータ可読記憶媒体に格納してもよい。当該プログラムを実行したとき、当該方法の実施形態の諸ステップが実行される。前述の記憶媒体には、ＲＯＭ、ＲＡＭ、磁気ディスク、または光ディスクのようなプログラムを格納できる任意の媒体が含まれる。
【０１００】
最後に、上述の諸実施形態は本発明の技術的解決策を説明することを意図したものにすぎず、本発明を限定するためのものではないことに留意されたい。上述の諸実施形態を参照して本発明を詳細に説明したが、上述の実施形態で説明した技術的解決策に修正を行うかまたはその技術的特徴の一部もしくは全部に均等な置換えを行ってもよいことは当業者には理解される。しかし、これらの修正または置換えは、対応する技術的解決策の本質を本発明の諸実施形態における技術的解決策の範囲から逸脱させるものではない。
【符号の説明】
【０１０１】
４１  ドラッギング・モジュール
４２  検出モジュール
４３  追加モジュール
４１  ドラッギング・モジュール
４２  検出モジュール
４３  追加モジュール
４４  削除モジュール
６１  ドラッギング・モジュール
６２  除去モジュール
【図１Ａ】
0006028291.tif 000002
【図１Ｂ】
0006028291.tif 000003
【図１Ｃ】
0006028291.tif 000004
【図２】
0006028291.tif 000005
【図３】
0006028291.tif 000006
【図４】
0006028291.tif 000007
【図５】
0006028291.tif 000008
【図６】
0006028291.tif 000009